(57)【特許請求の範囲】
【請求項１】
液体の流路を切り替えるための流路切替装置であって、
開口部を有する中空状の本体ハウジングと、
前記本体ハウジング内に収容され、流路を切り替えるための流路切替機構と、
前記本体ハウジングに対して着脱可能であり、前記本体ハウジングの前記開口部を閉塞する蓋部材と、
前記蓋部材を前記本体ハウジングに固定するための複数のネジと、
前記複数のネジを回転させるための工具の回転範囲を制限するためのストッパ機構とを備え、
前記流路切替機構は、前記本体ハウジング内に固定された板状のステータと、前記ステータに当接する回転可能な板状のロータとを有し、前記ステータに対して前記ロータを回転させることにより流路を切り替えるものであり、
前記ストッパ機構は、各ネジを回転させる際の前記工具の回転範囲をそれぞれ所定の角度範囲内に制限することを特徴とする流路切替装置。
【請求項２】
前記複数のネジには、前記工具としての六角レンチの端部を挿入するための六角孔がそれぞれ形成されており、
前記所定の角度範囲は、６０°以上であることを特徴とする請求項１に記載の流路切替装置。
【請求項３】
各ネジに対応する前記所定の角度範囲の差が、互いに±５°以内であることを特徴とする請求項１に記載の流路切替装置。
【請求項４】
前記流路切替装置による流路の切替状態を表示させる表示部をさらに備え、
前記ストッパ機構の少なくとも一部が、前記表示部が取り付けられる取付面により構成されていることを特徴とする請求項１に記載の流路切替装置。
【請求項５】
前記本体ハウジングを内部に収容する外装部材をさらに備え、
前記ストッパ機構の少なくとも一部が、前記外装部材の内面により構成されていることを特徴とする請求項１に記載の流路切替装置。
【発明の詳細な説明】
【技術分野】
【０００１】
本発明は、液体の流路を切り替えるための流路切替装置に関するものである。
【背景技術】
【０００２】
例えば、液体クロマトグラフと質量分析装置とを組み合わせた液体クロマトグラフ質量分析装置では、液体クロマトグラフのカラムに液体試料が供給されることにより、液体試料中の各成分がカラムにおいて分離され、分離された各成分が質量分析装置に導入される（例えば、下記特許文献１参照）。【０００３】
この種の装置の中には、液体クロマトグラフから質量分析装置に導入される液体試料の流路に、当該流路を切り替えるための流路切替装置が設けられているものがある。流路切替装置は、例えば、液体クロマトグラフから供給される液体試料を、質量分析装置におけるイオン化プローブ又はドレンへと切り替えて導くために使用される。
【先行技術文献】
【特許文献】
【０００４】
【特許文献１】特開２００６−１６２２５６号公報
【発明の概要】
【発明が解決しようとする課題】
【０００５】
上記のような流路切替装置として、例えばディバーターバルブを用いることができる。ディバーターバルブの構成としては、中空状の本体ハウジング内にステータ及びロータを有する構成が考えられる。【０００６】
ステータは、本体ハウジング内に固定された板状の部材である。一方、ロータは、ステータに当接する回転可能な板状の部材であり、ステータに対してロータを回転させることにより流路を切り替えることができる。本体ハウジングには開口部が形成されており、本体ハウジング内にステータ及びロータが収容された状態で、本体ハウジングに蓋部材が取り付けられることにより、開口部が蓋部材で閉塞される。【０００７】
ステータ及びロータは、互いに摺接するため、使用に伴って消耗する。そのため、定期的に蓋部材を本体ハウジングから取り外し、ステータ及びロータを交換する作業が必要となる。【０００８】
蓋部材は、例えば複数のネジを締め付けることにより本体ハウジングに固定される。したがって、ステータ及びロータを交換する際には、複数のネジを弛めて蓋部材を取り外した上で、開口部を介して本体ハウジング内のステータ及びロータが交換される。交換後は、蓋部材で開口部が覆われ、複数のネジが再び締め付けられることにより、蓋部材が本体ハウジングに取り付けられる。【０００９】
蓋部材を本体ハウジングに取り付ける際には、各ネジを均等に締め付ける必要がある。各ネジの締め付け量が均等でない場合には、ステータとロータとの接触面の面圧が不均一になるため、スタータとロータとの間に隙間が生じ、その隙間から液漏れが生じるおそれがある。また、一部のネジが過剰に締め付けられた場合には、ステータ及びロータが破損する原因にもなる。【００１０】
本発明は、上記実情に鑑みてなされたものであり、複数のネジを均等に締め付けて、蓋部材を本体ハウジングに取り付けることができる流路切替装置を提供することを目的とする。
【課題を解決するための手段】
【００１１】
（１）本発明に係る流路切替装置は、液体の流路を切り替えるための流路切替装置であって、本体ハウジングと、流路切替機構と、蓋部材と、複数のネジと、ストッパ機構とを備える。前記本体ハウジングは、中空状であり、開口部を有する。前記流路切替機構は、前記本体ハウジング内に収容され、流路を切り替える。前記蓋部材は、前記本体ハウジングに対して着脱可能であり、前記本体ハウジングの前記開口部を閉塞する。前記複数のネジは、前記蓋部材を前記本体ハウジングに固定する。前記ストッパ機構は、前記複数のネジを回転させるための工具の回転範囲を制限する。【００１２】
前記流路切替機構は、前記本体ハウジング内に固定された板状のステータと、前記ステータに当接する回転可能な板状のロータとを有し、前記ステータに対して前記ロータを回転させることにより流路を切り替える。前記ストッパ機構は、各ネジを回転させる際の前記工具の回転範囲をそれぞれ所定の角度範囲内に制限する。【００１３】
このような構成によれば、各ネジを回転させる際の工具の回転範囲が、ストッパ機構により所定の角度範囲内に制限されるため、一部のネジのみが過剰に締め付けられるのを防止することができる。したがって、複数のネジを均等に締め付けて、蓋部材を本体ハウジングに取り付けることができる。【００１４】
（２）前記複数のネジには、前記工具としての六角レンチの端部を挿入するための六角孔がそれぞれ形成されていてもよい。この場合、前記所定の角度範囲は、６０°以上であってもよい。【００１５】
このような構成によれば、工具として六角レンチを使用して各ネジを回転させ、蓋部材を本体ハウジングに取り付けることができる。所定の角度範囲を６０°以上に設定することにより、各ネジを６０°以上回転させた後、各ネジの六角孔に対して六角レンチの端部を挿入する向き（角度）を変えて再び回転させるという作業を円滑に行うことができる。【００１６】
（３）各ネジに対応する前記所定の角度範囲の差は、互いに±５°以内であることが好ましい。【００１７】
このような構成によれば、各ネジを順番に締め付けた場合に、各ネジの締め付け量のばらつきが、±５°以内の角度範囲に抑えられる。したがって、複数のネジをより均等に締め付けることができる。【００１８】
（４）前記流路切替装置は、当該流路切替装置による流路の切替状態を表示させる表示部をさらに備えていてもよい。この場合、前記ストッパ機構の少なくとも一部が、前記表示部が取り付けられる取付面により構成されていてもよい。【００１９】
このような構成によれば、流路切替装置による流路の切替状態を表示させるための表示部の取付面を利用して、ネジを回転させる際の工具の回転範囲を所定の角度範囲内に制限することができる。したがって、ストッパ機構として別途部材を設ける必要がないため、製造コストを低減することができる。【００２０】
（５）前記流路切替装置は、前記本体ハウジングを内部に収容する外装部材をさらに備えていてもよい。この場合、前記ストッパ機構の少なくとも一部が、前記外装部材の内面により構成されていてもよい。【００２１】
このような構成によれば、本体ハウジングを内部に収容する外装部材の内面を利用して、ネジを回転させる際の工具の回転範囲を所定の角度範囲内に制限することができる。したがって、ストッパ機構として別途部材を設ける必要がないため、製造コストを低減することができる。
【発明の効果】
【００２２】
本発明によれば、一部のネジのみが過剰に締め付けられるのを防止することができるため、複数のネジを均等に締め付けて、蓋部材を本体ハウジングに取り付けることができる。
【図面の簡単な説明】
【００２３】
【図１】本発明の一実施形態に係る液体クロマトグラフ質量分析装置の構成を示した概略図である。
【図２】液体クロマトグラフ質量分析装置における流路を示した図であって、液体クロマトグラフから質量分析部に試料成分が流れる状態を示している。
【図３】図２の状態から流路切替装置の流路を切り替えた状態を示した図である。
【図４】流路切替装置の構成を示した斜視図である。
【図５】図４のＡ−Ａ線に沿った流路切替装置の断面図である。
【図６Ａ】第１ネジを締め付ける際の態様について説明するための概略平面図である。
【図６Ｂ】第２ネジを締め付ける際の態様について説明するための概略平面図である。
【図６Ｃ】第３ネジを締め付ける際の態様について説明するための概略平面図である。
【発明を実施するための形態】
【００２４】
１．液体クロマトグラフ質量分析装置の構成
図１は、本発明の一実施形態に係る液体クロマトグラフ質量分析装置１の構成を示した概略図である。液体クロマトグラフ質量分析装置１は、試料中の成分を分離する液体クロマトグラフ（ＬＣ）２と、液体クロマトグラフ２により分離された試料成分に対して質量分析を行う質量分析装置（ＭＳ）３とを組み合わせた装置である。
【００２５】
図示しないが、液体クロマトグラフ２では、貯留槽に貯留されている移動相が一定流量でカラムに向けて送られる。そして、その移動相に試料が注入され、カラムにおいて、移動相に含まれる試料成分が時間的に分離される。分離された試料成分は、配管４を介して、質量分析装置３に送出される。質量分析装置３は、筐体５、流路切替装置６、質量分析部７、排液トレイ８、排液センサ９及び配管１０，１１などを備えている。
【００２６】
流路切替装置６は、筐体５内に取り付けられている。流路切替装置６には、配管４を介して、液体クロマトグラフ２からの試料成分が流入する。また、液体クロマトグラフ２から流路切替装置６に流入した試料成分は、配管１０を介して質量分析部７に流入する。このように、流路切替装置６は、液体クロマトグラフ２から質量分析部７への試料の流路に介在し、試料（液体）の流路を切り替えるための装置である。なお、流路切替装置６の詳細な構成については後述する。
【００２７】
質量分析部７は、筐体５内に収容されている。質量分析部７では、導入された試料成分がイオン化され、このイオンが質量電荷比（ｍ／ｚ）に応じて分離される。そして、検出器（図示せず）において、その分離されたイオンが検出されて、質量分析が行われる。
【００２８】
排液トレイ８は、筐体５内において、流路切替装置６から離れた位置に配置されている。配管１１は、流路切替装置６から排液トレイ８にわたって延びるように、筐体５に固定されている。排液センサ９は、排液トレイ８内に設けられている。排液センサ９は、排液トレイ８に排液された試料を検知する。排液センサ９及び排液トレイ８が排液部１２を構成している。
【００２９】
液体クロマトグラフ質量分析装置１において試料を分析する際には、液体クロマトグラフ２で分離された試料成分が、配管４、流路切替装置６及び配管１０を介して、質量分析部７に流入する。このとき、流路切替装置６から試料が漏れた場合には、その漏れた試料が配管１１を介して排液トレイ８に排出される。この場合、排液トレイ８に排出された試料が排液センサ９により検知される。
【００３０】
このときの液体クロマトグラフ質量分析装置１における流路が、図２に示されている。図２は、液体クロマトグラフ質量分析装置１における流路を示した図であって、液体クロマトグラフ２から質量分析部７に試料成分が流れる状態を示している。図２に示すように、流路切替装置６は、６つのポートａ〜ｆを有している。なお、各ポートａ〜ｆは、後述する蓋部材２４の開口２４１Ａに対応している。
【００３１】
流路切替装置６のポートａは、液体クロマトグラフ２内に連通している。すなわち、流路切替装置６のポートａには、配管４（図１参照）が接続されている。流路切替装置６のポートｂは、質量分析部７に連通している。すなわち、流路切替装置６のポートｂには、配管１０（図１参照）が接続されている。
【００３２】
流路切替装置６のポートｃは、標準試料導入部１５に連通している。標準試料導入部１５は、標準試料（ＳＴＤ）を流路切替装置６に導入する。流路切替装置６のポートｄ及びポートｆは、ドレン流路に連通している。
【００３３】
図２の状態では、流路切替装置６のポートａとポートｂが連通し、ポートｃとポートｄが連通している。したがって、上記したように、液体クロマトグラフ２で分離された試料成分は、流路切替装置６を介して質量分析部７に流入する。また、標準試料導入部１５から送り出される標準試料は、流路切替装置６を介してドレン流路に排出される。
【００３４】
図３は、図２の状態から流路切替装置６の流路を切り替えた状態を示した図である。この状態では、流路切替装置６のポートａとポートｆが連通し、ポートｂとポートｃが連通している。したがって、標準試料導入部１５から送り出される標準試料は、流路切替装置６を介して質量分析部７に流入する。また、液体クロマトグラフ２では、試料を含まない移動相が流されており、この移動相が流路切替装置６を介してドレン流路に排出される。
【００３５】
このように、液体クロマトグラフ質量分析装置１では、流路切替装置６によって適宜流路が切り替えられて、分析動作が行われる。流路切替装置６は、後述するように、内部に流路を切り替えるための機構（流路切替機構）などが収容されているため、定期的なメンテナンス作業が必要である。液体クロマトグラフ質量分析装置１では、このような流路切替装置６に対する作業を円滑に行うことができるように、流路切替装置６を以下のように構成している。
【００３６】
２．流路切替装置の具体的構成
図４は、流路切替装置６の構成を示した斜視図である。図５は、図４のＡ−Ａ線に沿った流路切替装置６の断面図である。なお、図４では、筐体５の一部が省かれた状態が示されている。本実施形態における流路切替装置６は、本体ハウジング２１、回転機構２２、流路切替機構２３及び蓋部材２４などを備えている。
【００３７】
本体ハウジング２１は、筐体５に固定されている。本体ハウジング２１は、上下方向に延びる中空状の部材である。本体ハウジング２１には、凹部２１Ａ及び貫通孔２１Ｂが形成されている。凹部２１Ａは、本体ハウジング２１の上面から下方に向かって窪んでおり、その上端が本体ハウジング２１の開口部を構成している。貫通孔２１Ｂは、本体ハウジング２１の下端部を上下方向に貫通し、凹部２１Ａに連通している。
【００３８】
図５に示すように、回転機構２２は、本体ハウジング２１の下方から本体ハウジング２１内に挿入されている。回転機構２２は、モータ軸２６、回転体２７及びカップリング２８を備えている。
【００３９】
モータ軸２６は、筐体５内において、本体ハウジング２１の下方に配置されている。モータ軸２６は、上下方向に延びる棒状に形成されている。モータ軸２６は、上下方向に延びる軸線を中心として回転可能である。モータ軸２６は、図示しないモータからの駆動力が付与されることにより回転する。
【００４０】
回転体２７は、モータ軸２６の上方に配置されており、その一部が本体ハウジング２１内に配置されている。回転体２７は、軸部２９及び保持部３０を備えている。軸部２９は、上下方向に延びる棒状に形成されている。軸部２９の径は、本体ハウジング２１の貫通孔２１Ｂの径よりもやや小さい。保持部３０は、軸部２９の上端部に設けられている。保持部３０は、略円柱状に形成されている。保持部３０の径は、軸部２９の径よりも大きく、本体ハウジング２１の凹部２１Ａの径よりもやや小さい。
【００４１】
回転体２７は、軸部２９が貫通孔２１Ｂに挿通された状態で、本体ハウジング２１に回転可能に保持されている。この状態では、軸部２９の上部、及び、保持部３０が本体ハウジング２１内（凹部２１Ａ内）に収容され、軸部２９の下部が本体ハウジング２１の外側（下方）に配置されている。
【００４２】
カップリング２８は、回転体２７の軸部２９と、モータ軸２６とを連結している。カップリング２８は、その上端部が軸部２９の下端部に接続され、その下端部がモータ軸２６の上端部に接続されている。これにより、モータ軸２６が回転すると、カップリング２８とともに回転体２７が回転する。
【００４３】
流路切替機構２３は、流路切替装置６において流路を切り替えるための機構である。流路切替機構２３は、本体ハウジング２１内（凹部２１Ａ内）に収容されており、回転体２７の保持部３０の上方に配置されている。流路切替機構２３は、ロータ３１及びステータ３２を備えている。
【００４４】
ロータ３１は、回転体２７の保持部３０の上方に配置されている。ロータ３１は、円板状に形成されている。ロータ３１には、周方向に延びる複数の溝（図示せず）が形成されている。ロータ３１は、その中心軸線が保持部３０の中心軸線と一致するようにして、保持部３０の上面に着脱可能に取り付けられている。
【００４５】
ステータ３２は、ロータ３１の上方に配置されている。ステータ３２は、円板状に形成されている。ステータ３２には、周方向に間隔を隔てて配置される複数の開口（図示せず）が形成されている。ステータ３２は、その中心軸線がロータ３１の中心軸線と一致するようにして、本体ハウジング２１内の一定位置に固定された状態でロータ３１の上面に当接している。
【００４６】
このような構成により、回転体２７が回転すると、ロータ３１は回転体２７とともに回転する。一方、ステータ３２は、回転体２７が回転しても、回転せずに一定の向きを保った状態で本体ハウジング２１内に保持される。これにより、ロータ３１に設けられた複数の溝と、ステータ３２に設けられた複数の開口との相対位置が適宜変化し、流路切替装置６における流路が切り替えられる。
【００４７】
蓋部材２４は、本体ハウジング２１の開口部（凹部２１Ａの上端）の内径よりも大きい外径を有する円板状に形成されている。蓋部材２４は、本体ハウジング２１に対して着脱可能である。蓋部材２４は、水平面に沿う状態で本体ハウジング２１に装着されることにより、本体ハウジング２１の開口部を閉塞する。蓋部材２４の中央部２４１は、上方に向かって突出する突出部を形成している。蓋部材２４の中央部２４１には、複数の開口２４１Ａが形成されており、蓋部材２４の外縁部２４２には、溝２４２Ａ及び排液口２４２Ｂが形成されている。
【００４８】
各開口２４１Ａは、蓋部材２４の中央部２４１を貫通している。各開口２４１Ａは、ステータ３２に形成された複数の開口にそれぞれ連通している。各開口２４１Ａは、上記した各ポートａ〜ｆ（図２及び図３参照）に対応している。なお、図５では、一部の開口２４１Ａが、封止部材３５によって封止されている状態が示されている。図５に示すように、蓋部材２４の複数の開口２４１Ａのうち、使用しない開口２４１Ａは、封止部材３５によって封止されてもよい。
【００４９】
溝２４２Ａは、蓋部材２４の外縁部２４２の上面に形成された周方向に延びる環状の窪みである。溝２４２Ａは、外縁部２４２の上面から下方に向かって断面Ｖ字状に窪んでいる。排液口２４２Ｂは、溝２４２Ａに連通するようにして、外縁部２４２を上下方向に貫通している。
【００５０】
筐体５内には、管継手４０が設けられている。管継手４０は、それぞれ管状に形成された垂直部４１及び水平部４２を備えている。垂直部４１は、上下方向に延びており、本体ハウジング２１の外周面に近接している。垂直部４１の上端部は、排液口２４２Ｂに連通している。水平部４２は、垂直部４１の下端部から連続して水平方向（本体ハウジング２１から離れる方向）に延びている。水平部４２の先端部は、配管１１（図１参照）の一端部に接続されている。
【００５１】
３．本体ハウジングに対する蓋部材の装着
本体ハウジング２１に対して蓋部材２４を取り付ける際、作業者は、蓋部材２４が水平面に沿うようにして、本体ハウジング２１の上面に蓋部材２４を載置する。その後、作業者は、図４に示すように、複数のネジ５０を蓋部材２４に対して上方から挿通させ、それぞれ本体ハウジング２１に締め付けることにより、蓋部材２４を本体ハウジング２１に固定する。
【００５２】
本実施形態では、蓋部材２４の中心に対して周方向に等間隔で３つのネジ５０が設けられている。すなわち、蓋部材２４の中心に対して、各ネジ５０の取付位置の角度間隔は一定（約１２０°）である。このように等間隔で設けられた複数のネジ５０を、それぞれ均等に締め付ければ、本体ハウジング２１に対して蓋部材２４を水平に固定することができるため、ステータ３２とロータ３１との接触面の面圧が均一になる。
【００５３】
各ネジ５０の頭部には、例えば六角孔５１が形成されている。各ネジ５０を締め付けたり、弛めたりするときには、工具としての六角レンチ５２（図６Ａ〜図６Ｃ参照）の端部が、各ネジ５０の六角孔５１内に挿入される。六角レンチ５２は、断面六角形の棒状の部材であり、Ｌ字状に屈曲又は湾曲した形状を有している。
【００５４】
以下では、３つのネジ５０（第１ネジ５０Ａ、第２ネジ５０Ｂ及び第３ネジ５０Ｃ）をそれぞれ締め付ける際の態様について具体的に説明する。
【００５５】
図６Ａは、第１ネジ５０Ａを締め付ける際の態様について説明するための概略平面図である。第１ネジ５０Ａの六角孔５１に六角レンチ５２の端部を挿入し、その六角レンチ５２を回転させたときの六角レンチ５２の軌道上には、第１ストッパ部材５３Ａ及び第２ストッパ部材５３Ｂが設けられている。第１ストッパ部材５３Ａ及び第２ストッパ部材５３Ｂは、それぞれ筐体５に取り付けられた棒状の部材であり、上下方向に延びている。
【００５６】
図６Ａの状態で六角レンチ５２を回転させたときには、六角レンチ５２が各ストッパ部材５３Ａ，５３Ｂに接触するため、六角レンチ５２の回転範囲θ１が所定の角度範囲内に制限される。このように、各ストッパ部材５３Ａ，５３Ｂは、六角レンチ５２の回転範囲θ１を制限するためのストッパ機構５３として機能する。
【００５７】
図６Ｂは、第２ネジ５０Ｂを締め付ける際の態様について説明するための概略平面図である。第２ネジ５０Ｂの六角孔５１に六角レンチ５２の端部を挿入し、その六角レンチ５２を回転させたときの六角レンチ５２の軌道上には、表示部５４の取付面５４Ａと、外装部材５５の内面５５Ａが設けられている。
【００５８】
表示部５４は、流路切替装置６による流路の切替状態を表示させるためのものであり、例えばＬＥＤ表示器により構成されている。表示部５４は、流路切替装置６により切り替えられる流路が、図２又は図３のいずれの状態であるかを電気的に表示する。作業者は、表示部５４の表示を見ることにより、流路の状態（図２又は図３の状態）を容易に確認することができる。表示部５４が取り付けられた取付面５４Ａは、筐体５を形成する板金の一部により構成されている。取付面５４Ａは、本体ハウジング２１の近傍において上下方向に延びている。
【００５９】
外装部材５５は、筐体５の外側を覆う装飾用の部材である。外装部材５５は中空状に形成されており、その内部に本体ハウジング２１などが収容されている。外装部材５５の内面５５Ａの一部は、本体ハウジング２１の近傍において上下方向に延びている。
【００６０】
図６Ｂの状態で六角レンチ５２を回転させたときには、六角レンチ５２が表示部５４の取付面５４Ａや外装部材５５の内面５５Ａに接触するため、六角レンチ５２の回転範囲θ２が所定の角度範囲内に制限される。このように、表示部５４が取り付けられる取付面５４Ａ、及び、外装部材５５の内面５５Ａは、それぞれ六角レンチ５２の回転範囲θ２を制限するためのストッパ機構５３として機能する。
【００６１】
図６Ｃは、第３ネジ５０Ｃを締め付ける際の態様について説明するための概略平面図である。第３ネジ５０Ｃの六角孔５１に六角レンチ５２の端部を挿入し、その六角レンチ５２を回転させたときの六角レンチ５２の軌道上には、表示部５４の表面と、外装部材５５の内面５５Ａが設けられている。
【００６２】
図６Ｃの状態で六角レンチ５２を回転させたときには、六角レンチ５２が表示部５４の表面や外装部材５５の内面５５Ａに接触するため、六角レンチ５２の回転範囲θ３が所定の角度範囲内に制限される。このように、表示部５４の表面、及び、外装部材５５の内面５５Ａは、それぞれ六角レンチ５２の回転範囲θ３を制限するためのストッパ機構５３として機能する。
【００６３】
４．作用効果
（１）本実施形態では、各ネジ５０（第１ネジ５０Ａ、第２ネジ５０Ｂ及び第３ネジ５０Ｃ）を回転させる際の六角レンチ５２の回転範囲θ１〜θ３が、ストッパ機構５３により所定の角度範囲内に制限されるため、一部のネジ５０のみが過剰に締め付けられるのを防止することができる。したがって、複数のネジ５０を均等に締め付けて、蓋部材２４を本体ハウジング２１に取り付けることができる。
【００６４】
（２）図６Ｂのように、第２ネジ５０Ｂを回転させる際には、流路切替装置６による流路の切替状態を表示させるための表示部５４の取付面５４Ａを利用して、第２ネジ５０Ｂを回転させる際の六角レンチ５２の回転範囲θ２を所定の角度範囲内に制限することができる。したがって、ストッパ機構５３として別途部材を設ける必要がないため、製造コストを低減することができる。
【００６５】
（３）また、図６Ｂ及び図６Ｃのように、第２ネジ５０Ｂ及び第３ネジ５０Ｃをそれぞれ回転させる際には、本体ハウジング２１を内部に収容する外装部材５５の内面５５Ａを利用して、各ネジ５０Ｂ，５０Ｃを回転させる際の六角レンチ５２の回転範囲θ２，θ３を所定の角度範囲内に制限することができる。したがって、ストッパ機構５３として別途部材を設ける必要がないため、製造コストを低減することができる。
【００６６】
（４）各ネジ５０（第１ネジ５０Ａ、第２ネジ５０Ｂ及び第３ネジ５０Ｃ）を回転させる際の六角レンチ５２の回転範囲θ１〜θ３は、６０°以上（例えば７０°程度）の所定の角度範囲内に制限されることが好ましい。これにより、工具として六角レンチ５２を使用して各ネジ５０を回転させ、蓋部材２４を本体ハウジング２１に取り付けることができる。所定の角度範囲を６０°以上に設定することにより、各ネジ５０を６０°以上回転させた後、各ネジ５０の六角孔５１に対して六角レンチ５２の端部を挿入する向き（角度）を変えて再び回転させるという作業を円滑に行うことができる。
【００６７】
（５）各ネジ（第１ネジ５０Ａ、第２ネジ５０Ｂ及び第３ネジ５０Ｃ）に対応する前記所定の角度範囲（回転範囲θ１〜θ３）の差は、互いに±５°以内であることが好ましい。これにより、各ネジ５０を順番に締め付けた場合に、各ネジ５０の締め付け量のばらつきが、±５°以内の角度範囲に抑えられる。したがって、複数のネジ５０をより均等に締め付けることができる。
【００６８】
５．変形例
以上の実施形態では、蓋部材２４を本体ハウジング２１に取り付けるためのネジ５０が、３つである場合について説明した。しかし、ネジ５０の数は、３つに限らず、２つであってもよいし、４つ以上であってもよい。このような場合であっても、各ネジ５０を回転させる際の工具の回転範囲をストッパ機構５３により制限すればよい。
【００６９】
各ネジ５０を回転させるための工具としては、六角レンチ５２に限らず、他の任意の工具を用いることができる。したがって、各ネジ５０は、六角レンチ５２の端部を挿入するための六角孔５１が形成された構成に限られるものではない。
【００７０】
流路切替装置６は、試料の流路を切り替えるための装置に限らず、他の任意の液体の流路を切り替えるための装置として使用することができる。したがって、流路切替装置６は、液体クロマトグラフ質量分析装置１の質量分析装置３に設けられた構成に限らず、他の分析装置に設けられた構成であってもよいし、分析装置以外の装置に設けられた構成であってもよい。
【符号の説明】
【００７１】
１      液体クロマトグラフ質量分析装置
２      液体クロマトグラフ
３      質量分析装置
６      流路切替装置
２１    本体ハウジング
２１Ａ  凹部
２１Ｂ  貫通孔
２３    流路切替機構
２４    蓋部材
３１    ロータ
３２    ステータ
５０    ネジ
５０Ａ  第１ネジ
５０Ｂ  第２ネジ
５０Ｃ  第３ネジ
５１    六角孔
５２    六角レンチ
５３    ストッパ機構
５３Ａ  第１ストッパ部材
５３Ｂ  第２ストッパ部材
５４    表示部
５４Ａ  取付面
５５    外装部材
５５Ａ  内面
θ１〜θ３  回転範囲
【図１】
0006881680.tif 000002
【図２】
0006881680.tif 000003
【図３】
0006881680.tif 000004
【図４】
0006881680.tif 000005
【図５】
0006881680.tif 000006
【図６Ａ】
0006881680.tif 000007
【図６Ｂ】
0006881680.tif 000008
【図６Ｃ】
0006881680.tif 000009